(57)【特許請求の範囲】
【請求項１】
それぞれの端部を互いにずらした状態で配置された第１基板及び前記第１基板の下面に位置する第２基板を含む表示パネルと前記表示パネルの外部をカバーするフロントケースを含む表示装置において、
光を供給するバックライトアセンブリと、
前記バックライトアセンブリを収納する下部収納部材と、
前記バックライトアセンブリの上に配置される表示パネルと、
端部が前記第１基板の非表示領域に固着されて前記フロントケースの端部と前記第１基板との間に突出し、前記下部収納部材と結合して前記表示パネルを固定する上部収納部材と、
前記下部収納部材と前記上部収納部材との間に配置されて前記表示パネルを支持するモールドフレームを含み、
前記モールドフレームは、第１突出部及び第２突出部を含み、前記第１突出部は前記第１基板を支持し、前記第２突出部は前記第２基板を支持することを特徴とする
表示装置。
【請求項２】
前記第１基板の表示領域から前記フロントケースの端部までの距離より、前記第１基板の表示領域から前記上部収納部材の端部までの距離が短くなるように、前記上部収納部材の端部が突出することを特徴とする請求項１記載の表示装置。
【請求項３】
前記第１基板の非表示領域にはブラックマトリックスが形成され、前記上部収納部材の端部は前記ブラックマトリックスと重畳するように配置されることを特徴とする請求項２記載の表示装置。
【請求項４】
前記フロントケースの端部は、下向きのL字形状を有し、前記フロントケースの端面が前記上部収納部材の端部の上面と対向することを特徴とする請求項３記載の表示装置。
【請求項５】
前記上部収納部材の端部は、前記フロントケースの端部の形状に対応するように、上向きのL字形状を有することを特徴とする請求項４記載の表示装置。
【請求項６】
前記上部収納部材の端部は黒色の表面を有することを特徴とする請求項５記載の表示装置。
【請求項７】
前記黒色の表面は黒色のテープを付着させて形成することを特徴とする請求項６記載の表示装置。
【請求項８】
前記黒色の表面は粉体塗装法を用いて形成することを特徴とする請求項７記載の表示装置。
【請求項９】
前記第１基板の上面に配置される偏光板をさらに含む請求項１記載の表示装置。
【請求項１０】
前記上部収納部材の端部は、前記偏光板の上面に固着して前記偏光板及び前記表示パネルを固定することを特徴とする請求項９記載の表示装置。
【請求項１１】
前記第２基板、前記第１基板、前記偏光板、及び前記上部収納部材の端部は、一列に互いに重畳するように配列されることを特徴とする請求項１０記載の表示装置。
【請求項１２】
前記フロントケースはプラスチック系の材料で形成され、前記上部収納部材は金属材料で形成されることを特徴とする請求項１記載の表示装置。
【請求項１３】
それぞれの端部を互いにずらした状態で配置された第１基板及び前記第１基板の下面に位置する第２基板を含む単位表示パネルと、互いに結合された複数の単位表示パネルの外部をカバーするフロントケースとを含む表示装置において、
光を供給するバックライトアセンブリと、
前記バックライトアセンブリを収納する下部収納部材と、
前記バックライトアセンブリの上に配置され、前記複数の単位表示パネルが互いに結合して形成されたタイル状の表示パネルと、
端部が最外郭単位表示パネルの第１基板の非表示領域に固着されて、前記フロントケースの端部と前記最外郭の単位表示パネルの第１基板との間に突出し、前記下部収納部材と結合して、前記タイル状の表示パネルを固定する上部収納部材と、
を含む表示装置。
【請求項１４】
前記タイル状の表示パネルは、前記互いに隣接する単位表示パネルの第１基板の下面が第２基板の上面に配置して形成されることを特徴とする請求項１３記載の表示装置。
【請求項１５】
前記下部収納部材と前記上部収納部材との間に配置されて前記最外郭単位表示パネルの第１基板を支持する第１突出部と、前記最外郭単位表示パネルの第２基板を支持する第２突出部とを含むモールドフレームをさらに含むことを特徴とする請求項１４記載の表示装置。
【請求項１６】
前記最外郭単位表示パネルの第１基板の表示領域から前記フロントケースの端部までの距離より、前記最外郭単位表示パネルの第１基板の表示領域から前記上部収納部材の端部までの距離が短くなるように、前記上部収納部材の端部が突出することを特徴とする請求項１３記載の表示装置。
【請求項１７】
前記最外郭単位表示パネルの第１基板の非表示領域にはブラックマトリックスが形成され、前記上部収納部材の端部は、前記ブラックマトリックスと重畳するように配置されることを特徴とする請求項１６記載の表示装置。
【請求項１８】
それぞれの端部を互いにずらした状態で配置された第１基板及び前記第１基板の下面に位置する第２基板を含む表示パネルと、前記表示パネルの外部をカバーするフロントケースとを含む表示装置の組立方法において、
下部収納部材にバックライトアセンブリを収納し、
前記表示パネルを前記バックライトアセンブリの上に配置し、
上部収納部材と前記下部収納部材を結合し、
前記上部収納部材の端部を前記第１基板の非表示領域に固着させて、前記上部収納部材で前記表示パネルを固定し、
前記上部収納部材の端部がフロントケースの端部と前記第１基板との間に突出するように前記フロントケースの端部を前記第１基板の非表示領域の上に配置させ、
前記下部収納部材と前記上部収納部材との間に第１突出部が前記第１基板を支持し、第２突出部が前記第２基板を支持するように、モールドフレームを配置させること
を特徴とする表示装置の組立方法。
【請求項１９】
前記フロントケースの端部を前記第１基板の非表示領域の上に配置させる段階は、前記第１基板の表示領域から前記フロントケースの端部までの距離より、前記第１基板の表示領域から前記上部収納部材の端部までの距離を短く形成することを特徴とする請求項１８記載の表示装置の組立方法。
【請求項２０】
前記フロントケースの端部を前記第１基板の非表示領域の上に配置させる段階は、前記フロントケースの端面が前記上部収納部材の端部の上面と対向するように、前記フロントケースの端面を配置することを特徴とする請求項１９記載の表示装置の組立方法。
【請求項２１】
前記第１基板の上面に偏光板を配置する段階をさらに含む請求項１８記載の表示装置の組立方法。
【請求項２２】
前記上部収納部材をもって前記表示パネルを固定する段階は、前記上部収納部材の端部を前記偏光板の上面に固着させることを特徴とする請求項２１記載の表示装置の組立方法。
【発明の詳細な説明】
【技術分野】
【０００１】
本発明は、表示装置及び前記表示装置の組立方法に関する。より詳しくは、表示パネルを含む表示装置及び前記表示装置の組立方法に関する。
【背景技術】
【０００２】
表示装置に使用される表示パネルは、薄膜トランジスタ（ｔｈｉｎ  ｆｉｌｍ  ｔｒａｎｓｉｓｔｏｒ：ＴＦＴ）が形成されたＴＦＴ基板及びこれと対向してカラーフィルタが形成されたカラーフィルタ基板を含む。一般的に、ＴＦＴ基板及びカラーフィルタ基板は、所定の間隔を維持しつつ、互いに接合された２枚の大型母基板をそれぞれ切断して製作する。この場合、ＴＦＴ基板はＴＦＴを制御するための駆動回路が接続される領域を含むため、ＴＦＴ基板はカラーフィルタ基板より大きく形成されることが望ましい。
【０００３】
このように２枚の互いに接合された母基板を切断して個々の表示パネルを切り離す場合、ＴＦＴ基板はカラーフィルタ基板より大きいため、カラーフィルタ基板として利用される母基板の一部は使用されない。従って、母基板から製作される表示パネルの大きさが小さくならざるをえない。
【０００４】
よって、母基板より得ることのできる表示パネルの大きさを増加させるために、母基板を切断する方法が多様に提案されている。しかし、母基板の切断方法を変化させることにより、母基板から得ることのできる表示パネルの大きさを増加させた場合、従来の上部収納部材及びフロントケースを用いて大きく切断された表示パネルを安定的に固定することは難しい。例えば、外部の衝撃により表示パネルが離脱するなどの問題が生じる。
【発明の開示】
【発明が解決しようとする課題】
【０００５】
本発明の技術的な課題は、このような従来の問題点を解決するためのもので、本発明の目的は、表示パネルを安定的に固定するための表示装置を提供することにある。
【０００６】
本発明の他の目的は、前記表示装置の組立方法を提供することにある。
【課題を解決するための手段】
【０００７】
それぞれの端部を互いにずらした状態で配置された第１基板及び第１基板の下面に位置する第２基板を含む表示パネルと、表示パネルの外部をカバーするフロントケースを含む表示装置において、前述の本発明の目的を実現するための一実施例による表示装置は、バックライトアセンブリ、下部収納部材、表示パネル、及び上部収納部材を含む。バックライトアセンブリは光を供給する。下部収納部材は、バックライトアセンブリを収納する。表示パネルは、バックライトアセンブリの上に配置される。上部収納部材の端部は、第１基板の非表示領域に固着され、フロントケースの端部と第１基板との間に突出する。上部収納部材は、下部収納部材と結合されて表示パネルを固定する。
【０００８】
表示装置は、下部収納部材と上部収納部材との間に配置され、表示パネルを支持するモールドフレームをさらに含んでもよい。この場合、モールドフレームは第１突出部及び第２突出部を含み、第１突出部は第１基板を支持し、第２突出部は第２基板を支持してもよい。
【０００９】
この場合、第１基板の表示領域からフロントケースの端部までの距離より、第１基板の表示領域から上部収納部材の端部までの距離が短くなるように、上部収納部材の端部を突出させてもよい。
【００１０】
第１基板の非表示領域には、ブラックマトリックスを形成してもよく、上部収納部材の端部は、ブラックマトリックスと重畳（オーバーラップ）するように配置させてもよい。
【００１１】
他方、フロントケースの端部は、下向きのL字形状を有して、上部収納部材の端部の上面と対向してもよい。また、上部収納部材の端部は、フロントケースの端部の形状に対応するように、上向きのL字形状を有してもよい。
【００１２】
上部収納部材の端部は、黒色の表面を有してもよい。この場合、黒色の表面は黒色のテープを付着して形成してもよい。これとは別に、黒色の表面は粉体塗装法を用いて形成してもよい。
【００１３】
表示装置は、第１基板の上面に配置される偏光板をさらに含んでもよい。この場合、上部収納部材の端部は、偏光板の上面に固着して偏光板及び表示パネルを固定してもよい。また、第２基板、第１基板、偏光板、及び上部収納部材の端部は、一列に互いに重畳するように配列させてもよい。
【００１４】
それぞれの端部を互いにずらした状態で配置された第１基板及び第１基板の下面に位置する第２基板を含む単位表示パネルと、互いに結合された複数の単位表示パネルの外部をカバーするフロントケースとを含む表示装置において、前述の本発明の目的を実現するための一実施例による表示装置は、バックライトアセンブリ、下部収納部材、タイル状の表示パネル、及び上部収納部材を含む。バックライトアセンブリは、光を供給する。下部収納部材は、バックライトアセンブリを収納する。タイル状の表示パネルは、バックライトアセンブリの上に配置され、複数の単位表示パネルが互いに結合して形成される。上部収納部材は、端部が第１基板の非表示領域に固着し、フロントケースの端部と第１基板との間に突出し、下部収納部材と結合してタイル状の表示パネルを固定する。
【００１５】
タイル状の表示パネルは、単位表示パネルから成る第１基板を、互いに隣接した単位表示パネルから成る第２基板の上面に配置して形成してもよい。
【００１６】
この場合、表示装置は、下部収納部材と上部収納部材との間に配置し、最外郭の単位表示パネルから成る第１基板を支持する第１突出部及び最外郭の単位表示パネルから成る第２基板を支持する第２突出部を含むモールドフレームをさらに含んでもよい。
【００１７】
他方、最外郭の単位表示パネルから成る第１基板の表示領域からフロントケースの端部までの距離より、最外郭の単位表示パネルから成る第１基板の表示領域から上部収納部材の端部までの距離が短くなるように、上部収納部材の端部を突出させてもよい。この場合、最外郭の単位表示パネルから成る第１基板の非表示領域には、ブラックマトリックスが形成され、上部収納部材の端部は、ブラックマトリックスと重畳するように配置してもよい。
【００１８】
それぞれの端部を互いにずらした状態で配置された第１基板及び第１基板の下面に位置する第２基板を含む表示パネルと、表示パネルの外部をカバーするフロントケースとを含む表示装置の組立方法において、前述の本発明の他の目的を実現するための一実施例による表示装置の組立方法は、下部収納部材にバックライトアセンブリを収納する段階を含む。そして、それぞれの端部を互いにずらした状態で配置された第１基板及び第２基板を含む表示パネルが、バックライトアセンブリの上に配置される。上部収納部材は下部収納部材と結合する。上部収納部材の端部が第１基板の非表示領域に固着して、上部収納部材で表示パネルを固定する。上部収納部材の端部はフロントケースの端部と第１基板との間に突出するように、フロントケースの端部が第１基板の非表示領域の上に配置される。
【００１９】
下部収納部材と上部収納部材との間にモールドフレームが配置され、モールドフレームの第１突出部が第１基板を支持し、モールドフレームの第２突出部が第２基板を支持してもよい。
【００２０】
他方、フロントケースの端部が第１基板の非表示領域の上に配置される場合、第１基板の表示領域からフロントケースの端部までの距離より、第１基板の表示領域から上部収納部材の端部までの距離を短く形成させてもよい。
【００２１】
フロントケースの端部が第１基板の非表示領域の上に配置される場合、フロントケースの端面が、上部収納部材の端部の上面と対向するようにフロントケースの端部を配置させてもよい。
【００２２】
表示装置の組立方法は、第１基板の上面に偏光板を配置する段階をさらに含んでもよい。この際、上部収納部材で表示パネルを固定する場合、上部収納部材の端部は偏光板の上面に固着させてもよい。
【発明の効果】
【００２３】
前述の本発明によると、第１基板及び第２基板の端部を互いにずれた状態で配置して、母基板の活用度を高め、表示パネルの大きさを増加させることができる。
【００２４】
また、上部収納部材の端部を、フロントケースの端部と、第１基板との間に突出するように配置すると、上部収納部材の端部が第１基板に固着される領域が増加する。これにより、外部の衝撃から表示パネルをより安定的に固定することができる。
【００２５】
さらに、上部収納部材の端部を黒色の表面を有するように形成することにより、上部収納部材の端部がフロントケースの端部と第１基板との間に突出しても、使用者が突出した上部収納部材の端部を認識できないようにすることができる。よって、使用者に優れた映像を提供することができる。
【発明を実施するための最良の形態】
【００２６】
以下、添付する図面を参照しつつ、本発明の望ましい実施例をより詳しく説明する。図面において、層状及び領域を明確に表現するために、サイズ及び相対的サイズを拡大して図示した。詳細な説明において、層、膜、領域、板などの部分が他の部分の「上に」あるとする場合、これは他の部分の「真上に」ある場合のみでなく、その中間にまた他の部分がある場合も含む。逆に、層、膜、領域、板などの部分が他の部分の「下に」あるとする場合、これは他の部分の「真下に」ある場合のみでなく、その中間にまた他の部分がある場合も含む。
【００２７】
図１は、本発明の一実施例による表示装置を図示した分解斜視図である。図２は、図１の表示パネルを図示した平面図である。図３は、図１のＩ−Ｉ′線に沿って切断した断面図である。
【００２８】
図１及び図３を参照すると本実施例による表示装置は、バックライトアセンブリ１００、下部収納部材２００、表示パネル３００、フロントケース４００、及び上部収納部材５００を含む。表示装置は、モールドフレーム６００、第１偏光板７１０、及び第２偏光板７２０をさらに含んでもよい。
【００２９】
バックライトアセンブリ１００は、光を発生する光源（図示せず）及び光源をカバーするカバー部（図示せず）が結合された光源ユニット１１０と、光源より発生された光を表示パネル３００方向にガイドする導光板１２０とを含む。光源ユニット１１０は、図１に図示されたように、導光板１２０の両側に配置してもよく、導光板１２０のいずれかの一側に配置してもよい。即ち、バックライトアセンブリ１００は多様な構造のエッジ型バックライトアセンブリを含む。他方、バックライトアセンブリ１００は、図示はしていないが、光を発生する光源が拡散板の下部に配置された直下型バックライトアセンブリを含んでもよい。
【００３０】
下部収納部材２００は、ボトム部及び側壁部を含み、バックライトアセンブリ１００を収納する。
【００３１】
表示パネル３００は、それぞれの端部を互いにずらした状態で配置された第１基板３１０及び第２基板３２０を含む。表示パネル３００は、図示はしていないが、第１基板と第２基板との間に配置された液晶層、及び表示パネル３００を駆動させる駆動回路基板を含む。表示パネル３００は、バックライトアセンブリ１００の上に配置され、バックライトアセンブリ１００を通過した光を利用して映像を表示する。
【００３２】
具体的に、第１基板３１０は色を実現するためのＲＧＢ画素が形成された複数のカラーフィルタ（図示せず）を含み、第２基板３２０は前記カラーフィルタと対向する複数の画素電極（図示せず）、各々の画素電極に駆動電圧を印加する薄膜トランジスタ（ｔｈｉｎ  ｆｉｌｍ  ｔｒａｎｓｉｓｔｏｒ：ＴＦＴ）（図示せず）、及びＴＦＴを駆動させる信号線（図示せず）を含む。この場合、液晶層（図示せず）は液晶分子（図示せず）を含み、液晶分子の配列方向が変化して多様な映像が表示される。
【００３３】
フロントケース４００は、表示パネル３００の上に配置されて下部収納部材２００及び表示パネル３００の外部をカバーする。フロントケース４００の端部４１０も表示パネル３００の上に配置される。具体的な内容は後述する。フロントケース４００は表示装置の重さを減らすためにプラスチック系の材料をもって形成することが望ましい。
【００３４】
上部収納部材５００は、下部収納部材２００及びモールドフレーム６００と結合し、フロントケース４００の内部に配置される。具体的に、図３に図示されたように上部収納部材５００の側壁部は、フロントケース４００の側壁部の内面に配置されてフロントケース４００の側壁部の内面と結合してもよい。加えて、上部収納部材５００の側壁部は、下部収納部材２００の側壁部及びモールドフレーム６００の側壁部と結合してもよい。この場合、フロントケース４００の側壁部、上部収納部材５００の側壁部、下部収納部材２００の側壁部、及びモールドフレーム６００の側壁部の結合関係は多様に変形させてもよい。
【００３５】
他方、上部収納部材５００の端部５１０は、表示パネル３００の上に配置される。具体的な内容は後述する。
【００３６】
モールドフレーム６００は、下部収納部材２００と上部収納部材５００との間に配置されて、下部収納部材２００及び上部収納部材５００と結合する。モールドフレーム６００は、モールドフレーム６００の中央部から突出した第１突出部６１０及び第２突出部６２０を含む。第１突出部６１０及び第２突出部６２０は、表示パネル３００の下に配置され、表示パネル３００を支持及び固定する。
【００３７】
第１偏光板７１０は、表示パネル３００の第１基板３１０と上部収納部材５００との間に配置される。第１偏光板７１０は、表示パネル３００を通過した光を偏光させて表示パネル３００が多様な映像を表示できるようにする。第２偏光板７２０は、表示パネル３００の第２基板３２０とバックライトアセンブリ１００との間に配置される。第２偏光板７２０は、バックライトアセンブリ１００より提供される光を偏光させて、表示パネル３００に光を入射させる。
【００３８】
他方、図示はしていないが、表示パネル３００の第２基板３２０とバックライトアセンブリ１００との間には光学部材が配置してバックライトアセンブリ１００から提供された光の効率を向上させてもよい。
【００３９】
図２を参照すると、本発明の実施例による表示パネル３００の第１基板３１０及び第２基板３２０は、第１基板３１０のための第１大型母基板と第２基板３２０のための第２大型母基板を各々切断して形成される。この場合、第１基板３１０及び第２基板３２０は、大型母基板の無駄を省き、大型母基板より得られる表示パネルの大きさを増加させるために、互いにずれた状態で配置されることが望ましい。
【００４０】
具体的に、本実施例による表示パネル３００の一単位は、表示領域ＤＡと非表示領域ＰＡを含む重畳部３０１、第１非重畳部３１１、及び第２非重畳部３２１を含む。重畳部３０１は、第１基板３１０及び第２基板３２０が互いに重畳する領域である。表示領域ＤＡは、重畳部３０１の中央部に形成されて映像を表示する。非表示領域ＰＡは、表示領域ＤＡの周辺部に形成される。例えば、非表示領域ＰＡには、ブラックマトリックス（ｂｌａｃｋ  ｍａｔｒｉｘ）が形成され、画面において黒く表示されてコントラスト比（ｃｏｎｔｒａｓｔ  ｒａｔｉｏ）を向上させてもよい。
【００４１】
表示パネル３００の第２基板３２０には、第２基板３２０に形成されたＴＦＴ(図示せず)を駆動させるための駆動回路（図示せず）が接続される。即ち、第２基板３２０は、駆動回路が接続できるように、駆動回路への接続に必要な面積（所定面積）の分だけ、第１基板３１０より広く形成した方がよい。従って、大型母基板を切断して第１基板３１０及び第２基板３２０を形成する場合、第１基板３１０のための大型母基板は、所定面積ほど無駄にすることになる。
【００４２】
そして、図２に図示したように第１基板３１０は第１非重畳部３１１を含み、第２基板３２０は第２非重畳部３２１を含むように大型母基板を切断すると、大型母基板の無駄を省くことができる。結局、前述の切断方法を用いれば、大型母基板より得られる表示パネルの大きさを増加させることができる。
【００４３】
本実施例のように大型母基板を前述の切断方法を用いて切断し、第１基板３１０及び第２基板３２０を形成すると、第１基板３１０が第１非重畳部３１１を含み、第２基板３２０は第２非重畳部３２１を含むため、ブラックマトリックスが形成される幅がαになる。例えば、第２基板が第１方向（ｆｉｒｓｔ  ｄｉｒｅｃｔｉｏｎ）にずれた状態で配置されることを想定して、前述の切断方法で大型母基板を切断すると、ブラックマトリックスが形成される幅がα′からαに狭くなる。この場合、第１基板の上部に形成されたブラックマトリックス及び第１基板の下部に形成されたブラックマトリックスの幅は、第１非重畳部３１１が形成されるため、α′からαに狭くなる。
【００４４】
例えば、前述の切断方法を用いず、１９インチワイドモニタに単位表示パネルを３２枚配置する場合、第１非重畳部３１１は形成されないため、ブラックマトリックスの形成幅（α′）は、約４．５ｍｍになる。しかし、前述の切断方法を用いて１９インチワイドモニタに第１方向に沿って単位表示パネルを７枚形成して、総３５枚を配置する場合、第１非重畳部３１１が形成されるため、ブラックマトリックスの形成幅（α）は、約２．３ｍｍになる。同じく、図示はしていないが、第１方向と実質的に垂直である第２方向（ｓｅｃｏｎｄ  ｄｉｒｅｃｔｉｏｎ）にずれた状態で配置されることを想定して、前述の切断方法で、大型母基板を切断してもよく、この場合にもブラックマトリックスが形成される幅は狭くなる。
【００４５】
従って、前述の切断方法で大型母基板を切断して、ブラックマトリックスが形成される幅がα′からαに狭くなると、表示装置において非表示領域ＰＡが表示領域ＤＡに対して占める割合が小さくなる。即ち、表示領域ＤＡの面積が同一である場合でも、前記フロントケース４００の両端部の幅が狭くなるため、結果的に表示装置全体の面積は狭くなる。そして、相対的に狭い面積のフロントケース４００を有する表示装置を製作することができる。
【００４６】
但し、ブラックマトリックスが形成される幅が狭くなると、表示パネル３００の最外郭の上部において、表示パネル３００を固定及び支持することが難しいという問題が生ずるおそれがあり、これに関しては後述する。他方、図３を再び参照すると、第１基板３１０は、第１非重畳部３１１を含み、第２基板３２０は、第２非重畳部３２１を含むため、モールドフレーム６００の第１突出部６１０は、第１非重畳部３１１の下面に接触して第１非重畳部３１１を固定及び支持し、モールドフレーム６００の第２突出部６２０は、第２非重畳部３２１の下面に接触して第２非重畳部３２１を固定及び支持する。
【００４７】
図４は、図３のＡ部分を拡大した拡大図である。
【００４８】
図４を参照すると、本実施例による表示パネル３００は、大型母基板を、前述の切断方法で切断して形成されるため、表示パネル３００の第１基板３１０及び第２基板３２０は、各々の第１非重畳部３１１及び第２非重畳部３２１を含む。従って、大型母基板を、第１方向にずれた状態で配置されることを想定して、前述の切断方法で切断して表示パネル３００を形成すると、第１方向において最端部に位置する表示パネルの第２基板３２０は、第１基板３１０より突出した第２非重畳部３２１を含むようになる。
【００４９】
図示はしていないが、大型母基板を、第２方向にずれた状態で配置されることを想定して、前述の切断方法で切断して表示パネル３００を形成すると、第２方向において最端部に位置する表示パネルの第２基板３２０は、第１基板３１０より突出した第２非重畳部３２１を含むようになる。
【００５０】
フロントケース４００及び上部収納部材５００は第１基板３１０の上に配置されるため、フロントケース４００の端部４１０及び上部収納部材５００の端部５１０が第１基板３１０と重畳される面積は、第２基板３２０が第１基板３１０より突出した場合より、第１基板３１０が第２基板３２０より突出した場合が、より広くなる。また、フロントケース４００の端部４１０及び上部収納部材５００の端部５１０は、第１基板３１０の上に固定されて表示パネル３００を固定する。
【００５１】
従って、表示パネル３００の第１基板３１０が第２基板３２０から突出した第１非重畳部３１１を含む場合、フロントケース４００及び上部収納部材５００を利用して表示パネル３００を固定することは容易である。しかし、表示パネル３００の第２基板３２０が第１基板３１０より突出した第２非重畳部３２１を含む場合、フロントケース４００及び上部収納部材５００を用いて表示パネル３００を固定することは容易ではなくなる。つまり、第２基板３２０が第１基板３１０より突出した第２非重畳部３２１を含む場合、相対的にフロントケースの端部４１０及び上部収納部材の端部５１０が第１基板３１０と重畳する面積が狭いため、重畳面積を増加させるためには、フロントケースの端部４１０及び上部収納部材の端部５１０の形状及び配置関係を変更しなければならない。
【００５２】
また、本実施例による表示装置は、第１基板３１０の上面に配置された第１偏光板７１０をさらに含んでもよい。この場合、第１偏光板７１０の面積は、第１基板３１０の面積より小さく形成されるため、フロントケースの端部４１０及び上部収納部材の端部５１０が第１偏光板７１０も固定させるためには、フロントケースの端部４１０及び上部収納部材の端部５１０は、第１偏光板７１０が配置された領域まで延長されることが望ましい。
【００５３】
本実施例においては、図４に図示されたように、フロントケース４００の端部４１０が第１基板３１０の非表示領域ＰＡの上に配置される。また、上部収納部材５００の端部５１０は、前記第１基板３１０の非表示領域ＰＡに固着され、フロントケースの端部４１０と第１基板３１０の上面との間に突出するように形成される。従って、上部収納部材の端部５１０が第１基板３１０と重畳する面積が増加することになり、表示パネル３００をより安定的に固定することができる。また、上部収納部材の端部５１０は、第１基板３１０の上面に配置された第１偏光板７１０の一部と重畳するように第１偏光板７１０の上面まで突出し、表示パネル３００と共に第１偏光板７１０まで安定的に固定することができる。
【００５４】
この場合、上部収納部材の端部５１０は、第１基板３１０の表示領域ＤＡとフロントケースの端部４１０までの距離（β）より、表示領域ＤＡと上部収納部材の端部５１０までの距離（γ）が実質的に短くなるように、フロントケースの端部４１０と第１基板３１０の上面の間に突出することが望ましい。これにより、上部収納部材の端部５１０と第１基板３１０の上面との重畳領域をより増加させることができ、外部の衝撃からより安定的に表示パネル３００を固定させることができる。
【００５５】
フロントケースの端部４１０と上部収納部材の端部５１０の形状は多様に変更してもよい。例えば、図４に図示されたように、フロントケースの端部４１０は、下向きのL字形状を有してフロントケースの端面４２０が上部収納部材の端部５１０の上面５２０と対向してもよい。この場合、上部収納部材の端部５１０は、フロントケースの端部４１０の形状に対応できるように上向きのL字形状を有してもよい。そして、上部収納部材の端部５３０が第１方向に向かって延長されることにより、上部収納部材の端部５１０、フロントケースの端部４１０、及び第１基板３１０を互いに固定させてもよい。
【００５６】
これとは別に、図示はしていないが、フロントケースの端部４１０は下向きのL字形状に形成され、上部収納部材の端部５１０は直線形状に形成され、フロントケースの端面４２０が上部収納部材の端部５１０の上面５２０に固定することもできる。また、フロントケースの端部４１０及び上部収納部材の端部５１０が全て直線形状に形成され、フロントケースの端面４２０及び上部収納部材の端面５３０が全て第１方向に向かうように固定することもできる。
【００５７】
既に言及したように、上部収納部材の端部５１０は固定力の増加と設計上の余地確保のために、フロントケースの端部４１０より所定距離（β−γ）ほど突出することが望ましい。この場合、収納部材の端部５１０は、第１基板３１０の非表示領域ＰＡに突出するため、使用者が突出した上部収納部材の端部５１０が認識できないように、上部収納部材の端部５１０を非表示領域ＰＡと同一の色相で処理することが必要である。例えば、第１基板３１０の非表示領域ＰＡにブラックマトリックスが形成される場合、上部収納部材の端部５１０が黒色の表面を有することが望ましい。これにより、使用者は上部収納部材の端部５１０が非表示領域ＰＡに突出しても突出した上部収納部材の端部５１０を認識することができなくなる。
【００５８】
例えば、上部収納部材の端部５１０が黒色の表面を有するようにするために、黒色のテープを上部収納部材の端部５１０に付着させてもよい。これとは別に、粉体塗装法を利用し、上部収納部材の端部５１０を黒色に塗装することもできる。粉体塗装法とは、合成樹脂を大きさが１〜１００μｍ以下である粉体粒子に形成した後、金属表面に塗布し、高温で溶融して表面の塗膜を形成する塗装方法である。つまり、一般的に上部収納部材５００は、金属材料をもって形成されるため、粉体塗装法を利用して上部収納部材の端部５１０に合成樹脂の粒子を塗布した後、高温で溶融して黒色に塗装される。
【００５９】
図５は、本発明の他の実施例による表示装置を図示した平面図である。図６は、図５のＩＩ−ＩＩ′線に沿って切断した断面図である。
【００６０】
図５及び図６を参照すると、本実施例による表示装置は、バックライトアセンブリ１００、下部収納部材２００、タイル状の表示パネル３０６、フロントケース４００、及び上部収納部材５００を含む。表示装置は、モールドフレーム６００と第１偏光板７１０及び第２偏光板７２０とをさらに含んでもよい。本実施例による表示装置は、タイル状の表示パネル３０６を除いては図１〜図４において説明した実施例による表示装置と実質的に同一であるため、同一の参照番号を使用し、重複する説明は省略する。
【００６１】
タイル状の表示パネル３０６は、複数の単位表示パネル３０５が互いに結合して形成される。各々の単位表示パネル３０５は、図１〜図４において説明したように、ぞれぞれの端部を互いにずらした状態で配置された、第１基板３１５及び第２基板３２５を含む。各々の単位表示パネル３０５が複数結合されると、タイル状の表示パネル３０６が形成されて表示装置の大きさは増加する。この場合、各々の単位表示パネル３０５は、すでに説明したように、第１基板３１５及び第２基板３２５が互いに重畳される部分と重畳されない部分を含み、第１基板３１５の非重畳部は、第２基板３２５の非重畳部と互いに結合することが可能である。つまり、単位表示パネル３０５の第１基板３１５の下面は、隣接する単位表示パネル３０５の第２基板３２５の上面と互いに結合される。これにより、隣接する複数の単位表示パネル３０５の接続部の面積が減少する。
【００６２】
このように、それぞれの端部を互いにずらした状態で配置された単位表示パネル３０５の第１基板３１５及び第２基板３２５は、非重畳部が互いに交差するように結合して、タイル状の表示パネル３０６を形成することができる。従って、タイル状の表示パネル３０６の非表示領域３０７の面積は、第１基板及び第２基板の端部が互いにずれた状態で配置されていない単位表示パネルが、互いに結合された場合に比べて減少することになる。
【００６３】
各々の単位表示パネル３０５は、第１基板３１５の上面に配置された第１偏光板７１５及び第２基板３２５の下面に配置された第２偏光板７２５を含んでもよい。また、単位表示パネル３０５のうち、最外郭に配置された単位表示パネル３０５及び最外郭に配置された単位表示パネル３０５に配置された第１偏光板７１５及び第２偏光板７２５は、図１〜図４の実施例において説明した表示パネル３００と第１偏光板７１０及び第２偏光板７２０とは実質的に同一に配置される。
【産業上の利用可能性】
【００６４】
本発明は、上部収納部材を用いて表示パネルを固定する構造を有する表示装置に利用してもよい。
以上、本発明の実施例によって詳細に説明したが、本発明はこれに限定されず、本発明が属する技術分野において通常の知識を有するものであれば本発明の精神と範囲から逸脱することなく、本発明を修正または変更できる。
【図面の簡単な説明】
【００６５】
【図１】本発明の一実施例による表示装置を図示した分解斜視図である。
【図２】図１の表示パネルを図示した平面図である。
【図３】図１のＩ−Ｉ′線に沿って切断した断面図である。
【図４】図３のＡ部分を拡大した拡大図である。
【図５】本発明の他の実施例による表示装置を図示した平面図である。
【図６】図５のＩＩ−ＩＩ′線に沿って切断した断面図である。
【符号の説明】
【００６６】
１００ バックライトアセンブリ
２００ 下部収納部材
３００ 表示パネル
３０５ 単位表示パネル
３０６ タイル状の表示パネル
３１０ 第１基板
３２０ 第２基板
４００ フロントケース
５００ 上部収納部材
６００ モールドフレーム
７１０ 第１偏光板
７２０ 第２偏光板
【図１】
0005329136.tif 000002
【図２】
0005329136.tif 000003
【図３】
0005329136.tif 000004
【図４】
0005329136.tif 000005
【図５】
0005329136.tif 000006
【図６】
0005329136.tif 000007